(57)【特許請求の範囲】
【請求項１】
コンクリート製の天端と、前記天端から上方へ突出する複数のアンカーボルトとを備え
るコンクリート基礎において、前記天端を施工する方法であって、
前記アンカーボルトを含む前記コンクリート基礎の根元側を構築する工程と、
平面部分および前記平面部分に設けられる孔を有する天端型枠を準備し、前記孔に前記
アンカーボルトを差し込み、前記天端型枠を前記根元側の上面と対向するよう前記アンカ
ーボルトに取付固定する工程と、
前記天端型枠と前記根元側の上面との間に天端コンクリートを充填する工程と、
前記天端コンクリートの硬化後、前記天端型枠を取り外す工程とを備え、
前記根元側は前記上面の側縁から垂下する側面を有し、
前記天端型枠は、前記平面部分の側縁から垂下するように設けられる垂下部分をさらに有し、
前記天端型枠を前記アンカーボルトに取付固定する工程において、前記垂下部分は前記根元側の側面と接触する、コンクリート基礎天端の施工方法。
【請求項２】
前記アンカーボルトは、下側ナットおよび上側ナットと螺合し、
前記天端型枠を前記アンカーボルトに取付固定する工程において、前記天端型枠は前記
下側ナットおよび前記上側ナットに挟まれる、請求項１に記載のコンクリート基礎天端の
施工方法。
【請求項３】
前記天端型枠は、前記垂下部分と前記平面部分との境界に傾斜部分をさらに有し、
前記天端型枠と前記根元側の上面との間に天端コンクリートを充填する工程において、
前記傾斜部分は前記コンクリート天端の側縁に面取りを形成する、請求項１または２に記載のコンクリート基礎天端の施工方法。
【請求項４】
前記天端型枠は前記平面部分の側縁から立ち上がる立ち上がり部分をさらに有し、
前記天端型枠と前記根元側の上面との間に天端コンクリートを充填する工程において、
前記立ち上がり部分は前記天端から立ち上がる段差面を形成する、請求項１〜３のいずれかに記載のコンクリート基礎天端の施工方法。
【請求項５】
上面および下面を有する長方形の板であって前記下面は平坦に形成される平面部分と、前記平面部分に形成された複数のアンカーボルト貫通孔と、前記下面から連続する押さえ面を有し９０°を超え２７０°未満の範囲に含まれる所定の角度で前記平面部分と交差する側面部分と、前記平面部分の長手方向端部に形成されて短手方向に延びる上向きのリブと、前記リブおよび前記リブと重なり合うリブを挟持するクリップとを備え、
前記アンカーボルト貫通孔はコンクリート基礎のアンカーボルトを通され、
前記下面はコンクリート基礎の天端を形成し、
前記押さえ面はコンクリートを押さえる、天端型枠。
【請求項６】
前記側面部分は、長方形に形成された前記平面部分に沿って同じ長さで延びる板であり、
前記リブは前記平面部分の長手方向端部から前記側面部分の長手方向端部まで形成される、請求項５に記載の天端型枠。
【発明の詳細な説明】
【技術分野】
【０００１】
本発明は、建物のコンクリート基礎を施工する工法に関する。
【背景技術】
【０００２】
建物のコンクリート基礎としては従来、例えば、特開平１−１５８１１８号公報（特許文献１）および特開２０１３−１５９９２２号公報（特許文献２）に記載のごときものが知られている。特許文献１および特許文献２に記載のコンクリート基礎は、断面形状が逆Ｔ字状であり、地盤に沿って水平方向に延びる布基礎である。布基礎の両側面は互いに向き合って平行に立ち上がる１対の型枠によって形成される。さらに特許文献１および特許文献２に布基礎は、地盤を覆う土間コンクリートと接続する。
【先行技術文献】
【特許文献】
【０００３】
【特許文献１】特開平１−１５８１１８号公報
【特許文献２】特開２０１３−１５９９２２号公報
【発明の概要】
【発明が解決しようとする課題】
【０００４】
コンクリート基礎の天端には建物躯体の柱および壁材等が設置される。このためコンクリート基礎の天端は水平に形成される必要がある。従来は、１対の型枠に目印をつけ、かかる目印を目標にして生コンクリートが硬化しないうちに天端を鏝で均していた。しかしこの作業は工数および熟練を要し、コストと工期において改善の余地がある。また雨が多い季節や豪雨地帯では、天端の鏝均し作業およびその後の養生が困難である。
【０００５】
あるいは通常のコンクリートよりも格段に流れ易い特殊なコンクリート（流動化コンクリートあるいはセルフレベリング材）を準備しておき、布基礎のコンクリート打設の最終場面に流動化コンクリートを流し込むことが考えられる。しかしながら流動化コンクリートは一般的ではなく、大量に準備することが困難であり、コスト増の原因にもなる。しかも流動化コンクリートは格段に流れ易いといっても緩い傾斜面が残ってしまうため、天端を正しい高さで水平に仕上げることができない。
【０００６】
本発明は、上述の実情に鑑み、通常のコンクリートを用いながらも、工数に過大な負担を掛けることなく、コンクリート基礎の天端を正しい高さで水平面に仕上げることができる施工工法を提供することを目的とする。
【課題を解決するための手段】
【０００７】
この目的のため本発明によるコンクリート基礎天端の施工方法は、コンクリート製の天端と、該天端から上方へ突出する複数のアンカーボルトとを備えるコンクリート基礎において、かかる天端を施工する方法であって、アンカーボルトを含むコンクリート基礎の根元側を構築する工程と、平面部分および該平面部分に設けられる孔を有する天端型枠を準備し、天端型枠の孔にアンカーボルトを差し込み、天端型枠を根元側の上面と対向するようアンカーボルトに取付固定する工程と、天端型枠と根元側の上面との間に天端コンクリートを充填する工程と、天端コンクリートの硬化後、天端型枠を取り外す工程とを備える。そして根元側は上面の側縁から垂下する側面を有し、天端型枠は平面部分の側縁から垂下するように設けられる垂下部分をさらに有し、天端型枠をアンカーボルトに取付固定する工程において、垂下部分は根元側の側面と接触する。
【０００８】
かかる本発明によれば、天端型枠を正しい高さに水平に取付固定することによって、コンクリート基礎天端を正しい高さで水平に形成することができる。特に大型の建物において天端を鏝で均す等の作業がなくなり、コスト上のメリットが増大する。また本発明によれば基礎の天端と基礎の側面を見栄えよく連続させることができる。天端型枠の垂下部分は平面部分の片側のみに設けられて根元側の片側の側面と接触してもよいし、あるいは平面部分の両側にそれぞれ設けられて根元側の両側の側面と接触してもよい。
【０００９】
天端型枠の固定方法は特に限定されないが、好ましい実施形態として、アンカーボルトは下側ナットおよび上側ナットと螺合し、天端型枠をアンカーボルトに取付固定する工程において、天端型枠は下側ナットおよび上側ナットに挟まれる。
【００１０】
かかる実施形態によればアンカーボルトおよびナットの組み合わせを利用して天端型枠を容易に取付固定したり取り外したりすることができる。他の実施形態として、ナット以外の取付具を利用してアンカーボルトに天端型枠を取付固定してもよい。
【００１１】
本発明の好ましい他の実施形態として、天端型枠は、垂下部分と平面部分との境界に傾斜部分をさらに有し、天端型枠と根元側の上面との間に天端コンクリートを充填する工程において、傾斜部分はコンクリート天端の側縁に面取りを形成する。かかる実施形態によれば、基礎の天端と基礎の側面の境界領域に面取りを形成されることから、コンクリート基礎において、基礎の天端と基礎の側面の接続箇所が破損することを防止できる。あるいは他の実施形態として、天端型枠は傾斜部分を有さず、コンクリート基礎の側面および天端を９０°で交差させて形成してもよい。
【００１２】
あるいは本発明の他の実施形態として天端型枠は、平面部分の側縁から立ち上がる立ち上がり部分をさらに有し、天端型枠と根元側の上面との間に天端コンクリートを充填する工程において、立ち上がり部分は天端から立ち上がる段差面を形成する。かかる実施形態によれば基礎の天端に隣接してコンクリートで天端から立ち上がる段差面を形成することができる。段差面は例えば土間コンクリートの縁になる。
【００１３】
本発明の天端型枠は、上面および下面を有する長方形の板であって下面は平坦に形成される平面部分と、平面部分に形成された複数のアンカーボルト貫通孔と、下面から連続する押さえ面を有し９０°を超え２７０°未満の範囲に含まれる所定の角度で平面部分と交差する側面部分と、平面部分の長手方向端部に形成されて短手方向に延びる上向きのリブと、該リブおよび該リブと重なり合うリブを挟持するクリップとを備え、アンカーボルト貫通孔はコンクリート基礎のアンカーボルトを通され、下面はコンクリート基礎の天端を形成し、押さえ面はコンクリートを押さえる。かかる本発明によれば、天端型枠を正しい高さに水平に設置することによって、コンクリート基礎天端を正しい高さで水平に形成することができる。特に大型の建物において天端を鏝で均す等の作業がなくなり、コスト上のメリットが増大する。また本発明によれば、水平方向に連続して延びるコンクリート基礎に、複数枚の天端型枠を隙間なく連続して取付固定することができる。
【００１４】
なお平面部分の上面には、アンカーボルトに固定されるための座部、例えばナットに安定して支持される座部、や天端型枠の剛性を高めるため複数のリブが設けられる。側面部分は、平面部分から立ち上がって形成されてもよいし、あるいは垂れ下がって形成されてもよい。
【００１５】
本発明の好ましい他の実施形態として側面部分は、長方形に形成された平面部分に沿って同じの長手方向長さで延びる板であり、平面部分のリブは平面部分の長手方向端部から側面部分の長手方向端部まで形成される。かかる実施形態によれば、平面部分と側面部分との接続箇所の剛性が大きくなり、天端型枠の不所望な変形を防止できる。
【発明の効果】
【００１６】
このように本発明によれば、通常のコンクリートを用いながらも、工数に過大な負担を掛けることなく、コンクリート基礎の天端を正しい高さで水平面に仕上げることができる。特に雨期や豪雨地帯における施工効率が著しく向上する。
【図面の簡単な説明】
【００１７】
【図１】コンクリート基礎の根元側を例示する横断面図である。
【図２】コンクリート基礎の根元側を埋め戻した状態を示す横断面図である。
【図３】コンクリート基礎の根元側上面と対向するよう天端型枠を取付固定した状態を示す横断面図である。
【図４】コンクリート基礎の根元側上面と天端型枠との間に天端コンクリートを充填した状態を示す横断面図である。
【図５】天端コンクリートの硬化後に天端型枠を取り外した状態を示す横断面図である。
【図６】コンクリート基礎の根元側を示す斜視図である。
【図７】コンクリート基礎の根元側上面と対向するよう天端型枠を取付固定した状態を示す斜視図である。
【図８】コンクリート基礎の根元側上面と天端型枠との間に天端コンクリートを充填した状態を示す斜視図である。
【図９】天端コンクリートの硬化後に天端型枠を取り外した状態を示す横断面図である。
【図１０】図７および図８に示す天端型枠を示す平面図である。
【図１１】図７および図８に示す天端型枠を示す横断面図である。
【図１２】図７および図８に示す天端型枠を示す側面図である。
【発明を実施するための形態】
【００１８】
以下、本発明の実施の形態を、図面に基づき詳細に説明する。図１〜図５は、本発明になるコンクリート基礎１０天端の施工方法を時系列で示す横断面図である。まず図１に示すように、コンクリート基礎全体のうち天端を除いた根元側１１を構築する。つまり根元側１１はコンクリート基礎の大部分である。コンクリート基礎１０は断面逆Ｔ字状であり、スラブ１１ｓと立ち上がり部１１ｗからなる。立ち上がり部１１ｗは互いに向き合って水平方向に平行に延びる１対の型枠３１で形成される。根元側１１の構築方法は特に限定されない。構築方法の詳細は、例えば特許文献２を参照されたい。
【００１９】
コンクリート基礎１０の根元側１１は、図１の紙面に直角方向、すなわち水平方向、に延びている。以下の説明では、水平面においてコンクリート基礎１０の長手方向と交差する方向を短手方向という。根元側１１には複数本のアンカーボルト２１が埋め込まれる。アンカーボルト２１は上下方向に延び、アンカーボルト２１の上端部が根元側１１の上面１３から突出する。複数本のアンカーボルト２１は、コンクリート基礎１０の短手方向および長手方向に関し、整然と配列される。
【００２０】
図１に示すようにコンクリート基礎１０の根元側１１を構築し、根元側コンクリートが硬化すると、１対の型枠３１を脱枠し、図２に示すようにコンクリート基礎の側面１２を両方とも埋め戻す。根元側１１の上面１３は地盤高ＧＬと略同じ高さである。コンクリート基礎１０の両側面１２，１２は、埋め戻し部１６と隣接する。各アンカーボルト２１の上端部外周に形成された雄ねじ部２１ｔには下側ナット２２を螺合させ、下側ナット２２の上端面を設計天端高ＴＬに調整する。
【００２１】
次に図３に示すように、天端型枠３２をアンカーボルト２１に取付固定する。天端型枠３２は根元側１１の上面１３と対向する平面部分３３と、平面部分３３に設けられる複数のアンカーボルト貫通孔３４を有する。複数のアンカーボルト貫通孔３４の配列は、予め決められたアンカーボルト２１の配列に対応する。平面部分３３の下面３３ｓは平滑であり、設計天端高ＴＬに保持されて、上面１３と向き合う。
【００２２】
各アンカーボルト２１はアンカーボルト貫通孔３４に通されて、下側ナット２２が下面３３ｓを支持する。各アンカーボルト２１には上側ナット２３がさらに螺合される。天端型枠３２は上側ナット２３と下側ナット２２に挟持され、コンクリート圧による浮き上がり移動を防止される。
【００２３】
次に図４に示すように、天端型枠３２と根元側１１の上面１３との間に生コンクリートを充填する。本実施形態では、天端コンクリート１４および土間コンクリート１７を同時に打設する。土間コンクリート１７は両側の埋め戻し部１６を覆い、水平方向に広がる。図４に示す一度のコンクリート打設により、天端コンクリート１４は土間コンクリート１７と一体にされる。
【００２４】
天端コンクリート１４および土間コンクリート１７が硬化すると、次に図５に示すように、上側ナット２３を除去し天端型枠３２を脱枠する。天端コンクリート１４は根元側１１の上面１３に確りと付着し、天端コンクリート１４は根元側１１と一体化する。下側ナット２２は天端コンクリート１４に埋設される。コンクリート基礎１０の天端１８は、設計天端高ＴＬと一致して、水平に形成される。次に天端１８には、図示しない柱材や壁材が載置され、これらの柱材や壁材は、アンカーボルト２１を利用してコンクリート基礎に取付固定される。
【００２５】
このように本実施形態によれば、天端型枠３２によって、コンクリート基礎１０の天端１８を、設計天端高ＴＬで水平に形成することができる。したがって天端コンクリート１４の鏝均しが不要であり、熟練した左官職人がいなくても天端１８を正確かつ効率よく仕上げることができる。
【００２６】
また本実施形態の天端型枠３２は、図３に示すように平面部分３３の側縁から立ち上がる立ち上がり部分３５をさらに有する。そして図４に示すように、天端型枠３２と根元側１１の上面１３との間に生コンクリートを充填する工程において、立ち上がり部分３５はコンクリート天端１８から立ち上がる段差面を形成する。本実施形態によれば、図３に示すように天端１８に連続して段差面１９を形成することができる。段差面１９は土間コンクリート１７の縁である。図示しない変形例として段差面１９は、コンクリート製の他の構造物の段差であってもよい。なお図３に示すように立ち上がり部分３５の押さえ面３５ｓと平面部分３３の下面３３ｓとの交差角度は約２７０°であるが、厳密には２７０°よりも僅かに小さい。これにより図５に示す天端型枠３２の脱枠が容易になる。なお図３に示す天端型枠３２は、短手方向両側縁に立ち上がり部分３５を有するが、立ち上がり部分３５はいずれか一方の側縁にのみ設けられていてもよい。
【００２７】
次に本発明の他の実施形態を説明する。
【００２８】
図６〜図９は本発明の他の実施形態になるコンクリート基礎天端の施工方法を時系列で示す横断面図である。他の実施形態につき、前述した実施形態と共通する構成については同一の符号を付して説明を省略し、異なる構成について以下に説明する。
【００２９】
図６は、前述した図２に対応し、コンクリート基礎の根元側１１を構築し、少なくとも一方の側面１２を埋め戻した状態を示す。他の実施形態では、埋め戻し部１６の上面に鉄筋組２４を敷設する。鉄筋組２４の一部は、屈曲して下向きに延び、立ち上がり部１１ｗに埋設される。
【００３０】
次に図７に示すように、根元側に天端型枠３２を取付固定する。図７は前述した図３に対応する。他の実施形態で使用される天端型枠３２は、平面部分３３の短手方向一方の側縁から垂下するように設けられる垂下部分３６をさらに有する。そして天端型枠３２をアンカーボルト２１に取付固定する工程において、垂下部分３６は根元側１１の一方の側面１２と接触する。
【００３１】
垂下部分３６と平面部分３３との境界には傾斜部分３７が形成される、平面部分３３と傾斜部分３７との交差角度は例えば１３５°である。垂下部分３６と傾斜部分３７との交差角度は例えば１３５°である。つまり平面部分３３と垂下部分３６がなす角度は９０°である。図７の天端型枠３２については後で詳細に説明する。
【００３２】
次に図８に示すように、平面部分３３の短手方向他方の側縁から、平面部分３３の下方に天端コンクリート１４を充填する。同時に埋め戻し部１６の上面に土間コンクリート１７を打設して、鉄筋組２４を土間コンクリート１７の中に埋設する。垂下部分３６および傾斜部分３７は短手方向一方から天端コンクリート１４を押さえ、天端１８と側面１２を見栄えよく接続する。立ち上がり部分３５は、生コンクリートを押さえて、土間コンクリート１７の縁に段差面１９を形成する。図８は前述した図４に対応する。
【００３３】
次に図９に示すように、上側ナットを緩め、天端型枠を脱枠して、これらをアンカーボルト２１から取り外す。天端コンクリート１４は根元側１１の上面１３に確りと付着する。図８に示す一度のコンクリート打設により、土間コンクリート１７は天端コンクリート１４と一体にされる。図９は前述した図５に対応する。傾斜部分３７（図８）の押さえ面によって、側面１２と天端１８との境界には面取り２０が形成される。
【００３４】
次に本発明で使用する天端型枠を説明する。
【００３５】
図１０は、図７および図８に示す天端型枠を示す平面図である。図１１は、図７および図８に示す天端型枠を示す横断面図であり、長手方向にみた状態を表す。図１２は、図７および図８に示す天端型枠を示す側面図である。なお図１０および図１２では、２枚の同じ天端型枠３２を長手方向に連結した状態を示す。天端型枠３２は、水平に支持される平面部分３３を少なくとも備え、平面部分３３の下面３３ｓで生コンクリートを押さえる。平面部分３３の下面３３ｓは、平坦に形成されるが一部に凹凸を含んでもよい。平面部分３３には、複数のアンカーボルト貫通孔３４と、複数の空気抜き孔３３ｈが設けられる。平面部分３３は図１０に示すように長方形の板である。なお空気抜き孔３３ｈおよびアンカーボルト貫通孔３４は同じ口径で、所定の配列パターンで配置されるとよい。これにより空気抜き孔３３ｈおよびアンカーボルト貫通孔３４は互いに兼用可能である。したがって前の施工現場でアンカーボルト貫通孔３４であった孔が、次の施工現場で空気抜き孔３３ｈになってもよいし、あるいは逆であってもよい。空気抜き孔３３ｈにより、コンクリートは下面３３ｓまで充填され、コンクリート基礎の天端に窪みなどの施工不良が生じない。空気抜き孔の内径は特に限定されず、空気抜き孔はアンカーボルト貫通孔３４よりも小さい径であってもよい。本実施形態では図１０および図１２に示すように、小さい径の空気抜き孔をさらに有する。
【００３６】
本実施形態の天端型枠３２は、図１１に示すように上面３３ｒおよび下面３３ｓを有する平面部分３３と、平面部分３３と所定の角度で交差する側面部分とを有する。側面部分は具体的には立ち上がり部分３５、傾斜部分３７、および垂下部分３６を含む。平面部分３３と側面部分は略同じ厚みである。各側面部分は、下面３３ｓから連続する押さえ面３５ｓ，３６ｓ，３７ｓを構成する。垂下部分３６は平面部分３３の短手方向一方縁に延設される。立ち上がり部分３５は平面部分３３の短手方向他方縁に延設される。
【００３７】
平面部分３３と側面部分の交差角度は、９０°を超え２７０°未満の範囲に含まれる。具体的には、垂下部分３６の押さえ面３６ｓが鉛直にされ、平面部分３３と垂下部分３６との境界に傾斜部分３７が設けられ、平面部分３３の下面３３ｓと傾斜部分３７の押さえ面３７ｓとの交差角度は９０°を超え１４０°未満の範囲に含まれる所定の角度である。本実施形態では平面部分３３の下面３３ｓと傾斜部分３７の押さえ面３７ｓとの交差角度が１３５°である。
【００３８】
また垂下部分３６の押さえ面３６ｓと傾斜部分３７の押さえ面３７ｓとの交差角度も９０°を超え１４０°未満の範囲に含まれる所定の角度である。本実施形態では垂下部分３６の押さえ面３６ｓと傾斜部分３７の押さえ面３７ｓの交差角度が１３５°である。本実施形態は、垂下部分３６の押さえ面３６ｓが鉛直であるため、下面３３ｓと押さえ面３６ｓがなす交差角度が９０°になる。平面部分３３と立ち上がり部分３５との交差角度は２５０°以上２７０°未満の範囲に含まれる所定の角度である。
【００３９】
図１０に示すように傾斜部分３７は平面部分３３に沿って延びる長方形の板である。図１２に示すように垂下部分３６も平面部分３３および傾斜部分３７と平行に延びる長方形の板である。また立ち上がり部分３５も平面部分３３に沿って延びる長方形の板である。平面部分３３の下面３３ｓ（図１１）は、前述した下側ナット（図６の符号２２）に水平に支持され、垂下部分３６の押さえ面３６ｓ（図１１）は鉛直にされる。
【００４０】
平面部分３３および側面部分としての立ち上がり部分３５、垂下部分３６、および傾斜部分３７は一体に形成される。平面部分３３および側面部分の長手方向両端には、短手方向に延びる上向きのリブ３８がそれぞれ設けられる。各リブ３８は、立ち上がり部分３５と接続する。天端型枠３２は、図１０および図１２に示すように長手方向に複数枚連続して整列配置可能である。このとき一方の天端型枠３２のリブ３８と他方の天端型枠３２´のリブ３８´とを密着させて、互いに重なったリブ３８，３８´をクリップ３９で挟持するとよい。これにより、隣接する天端型枠３２，３２´同士を隙間なく接続する。
【００４１】
リブ３８には例えば通し孔３８ｈを設けるとよい。通し孔３８ｈにはクリップ３９の軸が通され、クリップ３９はレバーのように通し孔３８ｈを中心として回動可能である。これにより作業者は、梃子の作用によって、小さな力でクリップ３９を２枚の重なったリブ３８，３８´に押し込んで挟んだり、あるいは引き上げて挟持を解除したりすることができる。複数枚の天端型枠３２において各長手方向端がクリップ３９によって連結されることにより、平面部分３３の下面３３ｓは長手方向に隙間なく連続する。そして図９に示すコンクリート基礎１０の天端１８を形成する。垂下部分３６の押さえ面３６ｓは、既設の根元側１１に押し当てられる。これにより天端１８を、根元側１１の側面１２に円滑に連続して形成することができる。立ち上がり部分３５の押さえ面３５ｓはコンクリート構造物、例えば土間コンクリート１７、の段差面１９を形成する。なお図示はしなかったが、長手方向に間隔を空けて複数のリブを設けることにより、平面部分と側面部分との接続箇所の剛性が向上する。
【００４２】
垂下部分３６の押さえ面３６ｓは鉛直面であり、傾斜部分３７の押さえ面３７ｓは、平面部分３３の下面３３ｓおよび垂下部分３６の押さえ面３６ｓと例えば１３５°という鈍角で連続することから、天端１８と側面１２を円滑に接続する。また天端型枠の脱枠が容易になる。
【００４３】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【００４４】
これまでの実施形態では、平面部分と２段階に交差する傾斜部分および垂下部分を有する天端型枠の例を示したが、図示しない変形例として傾斜部分を省略し、平面部分と垂下部分とを９０°を超え９９°以下の範囲に含まれる所定の角度で連続させてもよい。
【００４５】
これまでの実施形態では、コンクリート基礎および天端型枠が水平方向に直線状に延びる実施形態を説明したが、本発明はこれに限られない。図示しない変形例として、コンクリート基礎が水平方向にＬ字状に折れ曲がって延びてもよい。また天端型枠も平面図においてＬ字状に折れ曲がって配列されてもよい。あるいは図示しない変形例として、コンクリート基礎が水平方向にＴ字状に延びてもよい。また天端型枠も平面図においてＴ字状に配列されてもよい。また天端型枠は、上述した図１０〜図１２に示す直線形状として、建物外周の界壁を支持するコンクリート基礎に対応する直線形状と、建物内部の間仕切り壁を支持するコンクリート基礎に対応する直線形状がある。あるいは天端型枠は図示しない変形例として、建物の出入口の隅を形成するコンクリート基礎に対応するエンド形状と、建物の角部ないし隅部を形成するコンクリート基礎に対応する角部形状がある。
【産業上の利用可能性】
【００４６】
この発明になるコンクリート基礎天端の施工方法および天端型枠は、基礎工事において有利に利用される。
【符号の説明】
【００４７】
１０  コンクリート基礎、      １１  コンクリート基礎の根元側、      
１１ｓ  根元側のスラブ、      １１ｗ  根元側の立ち上がり部、      
１２  根元側の側面、      １３  根元側の上面、      
１４  天端コンクリート、      １６  埋め戻し部、      
１７  土間コンクリート、      １８  コンクリート基礎の天端、      
１９  コンクリートの段差面、      ２０  コンクリート基礎の面取り、      
２１  アンカーボルト、      ２１ｔ  雄ねじ部、      
２２  下側ナット、      ２３  上側ナット、      ２４  鉄筋組、      
３１  型枠、      ３２  天端型枠、      ３３  平面部分、      
３３ｈ  空気抜き孔、      ３３ｓ  平面部分の下面、      
３４  アンカーボルト貫通孔、      ３５  立ち上がり部分、      
３６  垂下部分、      ３７  傾斜部分、      
３５ｓ，３６ｓ，３７ｓ  天端型枠の押さえ面、      ３８  リブ、      
３９  クリップ、      ＧＬ  地盤高、      ＴＬ  設計天端高。
【図１】
0006592317.tif 000002
【図２】
0006592317.tif 000003
【図３】
0006592317.tif 000004
【図４】
0006592317.tif 000005
【図５】
0006592317.tif 000006
【図６】
0006592317.tif 000007
【図７】
0006592317.tif 000008
【図８】
0006592317.tif 000009
【図９】
0006592317.tif 000010
【図１０】
0006592317.tif 000011
【図１１】
0006592317.tif 000012
【図１２】
0006592317.tif 000013